(57)【特許請求の範囲】
【請求項１】
第１画像入力装置にカラーチャートを入力して得られた入力色値と当該カラーチャートの測色値とに基づいて作成され、前記第１画像入力装置への入力色値に対応する出力色値を規定した第１色変換ルックアップテーブルを用いて、前記第１画像入力装置にサンプル画像を入力して得られたサンプル画像データを補正した補正済サンプル画像データを取得する取得手段と、
前記補正済サンプル画像データと第２画像入力装置に前記サンプル画像を入力して得られたサンプル画像データの対応する画素における色値の対応関係に基づいて、前記第２画像入力装置への入力色値に対応する出力色値を規定した第２色変換ルックアップテーブルを作成する作成手段と、
を備え、
前記作成手段は、下記（１）式で示される第１関数に基づいて、下記（２）式で示される第２関数の制限の下、前記第２色変換ルックアップテーブルの入力色値ｘと出力色値ｙの組を決定することにより前記第２色変換ルックアップテーブルを作成し、
当該作成した第２色変換ルックアップテーブルを用いて、前記第２画像入力装置に画像を入力して得られた画像データを補正した補正済画像データについて、色再現精度が不充分であれば、下記（２）式の正則化パラメータｋ値を減少させて第２色変換ルックアップテーブルを再作成し、階調精度が不充分であれば、当該正則化パラメータｋ，ｌ値を増加させて第２色変換ルックアップテーブルを再作成すること、
を特徴とするルックアップテーブル作成装置。
0006610163.tif 000005
【請求項２】
請求項１に記載のルックアップテーブル作成装置が作成した第２色変換ルックアップテーブルに基づいて、前記第２画像入力装置に画像を入力して得られた画像データを変換することを特徴とする画像変換装置。
【発明の詳細な説明】
【技術分野】
【０００１】
本発明は、標準的なカラーチャートの入力が困難な画像入力装置における色再現精度を向上させることのできるルックアップテーブル作成装置等の技術分野に関する。
【背景技術】
【０００２】
製版やアーカイブを目的として、画像入力装置を用いて原稿の画像化を行う際には、高い色再現精度での画像取得が要求される。通常、画像入力装置の色較正においては、測色値が既知のカラーチャートをスキャン又は撮影し、入力画像の入力色値と測色値の対比が行われ、正しく測色値に対応する色が再現されるように画像補正が施される。画像補正は、入力色値を正しい測色値に変換するための色変換ルックアップテーブル（色変換ＬＵＴ）を作成することにより行われる。ここで、測色値はCIE XYZやCIE Labなどとして定義される色彩量を指し、色再現精度は、入力色値から測色値への対応精度を指す。
【０００３】
カラーチャートの測色値を基準とした通常の方法による画像入力装置の色較正では、35mmフィルム用のフィルムスキャナを用いる場合など、原稿の種類や寸法が制約され、標準的なカラーチャートの入力が困難である場合に実施が困難であるという欠点があった。上記制約を満たすカラーチャートを作成して色較正を実施する方法も考えられるが、カラーチャートのサイズが小さくなる場合にはカラーパッチが微細となり、カラーパッチを測色することが困難となるため、色較正の実施が困難であった。
【０００４】
一方で、特許文献１には、フィルムスキャナを較正するためのシステムが開示されている。当該特許文献１に記載のシステムによればカラーチャートを測色しなくとも、二つの画像入力装置の色再現特性を合わせることができる。
【先行技術文献】
【特許文献】
【０００５】
【特許文献１】特表２０１２−５２９２１９号公報
【発明の概要】
【発明が解決しようとする課題】
【０００６】
しかしながら、特許文献１では、測色値に合わせるわけではないため、高い色再現精度の実現は困難であるという欠点があった。
【０００７】
本発明は、このような問題等に鑑みてなされたもので、標準的なカラーチャートの入力が困難な画像入力装置について高い色再現精度の実現する色較正を可能とするルックアップテーブル作成装置等を提供することを課題とする。
【課題を解決するための手段】
【０００８】
上記課題を解決するために、請求項１に記載の発明は、第１画像入力装置にカラーチャートを入力して得られた入力色値と当該カラーチャートの測色値とに基づいて作成され、前記第１画像入力装置への入力色値に対応する出力色値を規定した第１色変換ルックアップテーブルを用いて、前記第１画像入力装置にサンプル画像を入力して得られたサンプル画像データを補正した補正済サンプル画像データを取得する取得手段と、前記補正済サンプル画像データと第２画像入力装置に前記サンプル画像を入力して得られたサンプル画像データの対応する画素における色値の対応関係に基づいて、前記第２画像入力装置への入力色値に対応する出力色値を規定した第２色変換ルックアップテーブルを作成する作成手段と、を備え、前記作成手段は、下記（１）式で示される第１関数に基づいて、下記（２）式で示される第２関数の制限の下、前記第２色変換ルックアップテーブルの入力色値ｘと出力色値ｙの組を決定することにより前記第２色変換ルックアップテーブルを作成し、当該作成した第２色変換ルックアップテーブルを用いて、前記第２画像入力装置に画像を入力して得られた画像データを補正した補正済画像データについて、色再現精度が不充分であれば、下記（２）式の正則化パラメータｋ,l値を減少させて第２色変換ルックアップテーブルを再作成し、階調精度が不充分であれば、当該正則化パラメータｋ,l値を増加させて第２色変換ルックアップテーブルを再作成する、ことを特徴とする。
【数１】
0006610163.tif 000002
【０００９】
したがって、当該発明によれば、標準的なカラーチャートを入力することができない第２画像入力装置について高い色再現精度の実現する色較正を行うことができる。
また、当該発明によれば、サンプル画像に含まれる色に偏りや欠落がある場合であっても、サンプル画像に含まれている色に対して色再現精度が充分な正しい色較正を行うことができる。また、サンプル画像に含まれていない色については階調精度が充分な自然な色再現となるように較正されるため、サンプル画像の配色に制約を課すことなく、色較正を行うことができる。
【００１２】
また、請求項２に記載の発明は、請求項１に記載のルックアップテーブル作成装置が作成した第２色変換ルックアップテーブルに基づいて、前記第２画像入力装置に画像を入力して得られた画像データを変換することを特徴とする。
【発明の効果】
【００１５】
本発明によれば、標準的なカラーチャートを入力することができない第２画像入力装置
について高い色再現精度の実現する色較正を行うことができる。
また、当該発明によれば、サンプル画像に含まれる色に偏りや欠落がある場合であっても、サンプル画像に含まれている色に対して色再現精度が充分な正しい色較正を行うことができる。また、サンプル画像に含まれていない色については階調精度が充分な自然な色再現となるように較正されるため、サンプル画像の配色に制約を課すことなく、色較正を行うことができる。
【図面の簡単な説明】
【００１６】
【図１】色変換ＬＵＴ作成システムＳの一例を示す概略図である。
【図２】色変換ＬＵＴ作成装置１００の構成を示すブロック図である。
【図３】制御部１１１による第１色変換ＬＵＴ作成処理の一例を示すフローチャートである。
【図４】制御部１１１による第２色変換ＬＵＴ作成処理の一例を示すフローチャートである。
【図５】制御部１１１による第２色変換ＬＵＴ調整処理の一例を示すフローチャートである。
【発明を実施するための形態】
【００１７】
以下、図面を参照して本発明の実施形態について説明する。なお、以下に説明する実施の形態は、色変換ＬＵＴ作成システムについて本発明を適用した場合の実施形態である。
【００１８】
図１は、本発明の一実施形態にかかる色変換ＬＵＴ作成システムＳの一例を示す概略図である。
【００１９】
色変換ＬＵＴ作成システムＳは、色変換ＬＵＴ作成装置１００と、基準画像入力装置ＳＣ１と、第１制御用パソコンＰＣ１と、較正対象画像入力装置ＳＣ２と、第２制御用パソコンＰＣ２と、分光測色器ＣＭとを含む。
【００２０】
基準画像入力装置ＳＣ１には、較正対象画像入力装置ＳＣ２と共通のサンプル画像（図示しない）を入力することができ、かつ、標準的なカラーチャート（図示しない。例えば、IT8.7/1ターゲットやIT8.7/2ターゲット）を入力することができる。但し、カラーチャートは分光測色器ＣＭを用いて測色値を測定できるものである必要がある。基準画像入力装置ＳＣ１としては、例えば、大日本スクリーン製造製ドラムスキャナSG-8060を採用することができる。
【００２１】
第１制御用パソコンＰＣ１は、基準画像入力装置ＳＣ１と接続されている。第１制御用パソコンＰＣ１は、基準画像入力装置ＳＣ１を制御する機能を有し、基準画像入力装置ＳＣ１がカラーチャート及びサンプル画像を入力された際に得た画像データ（画素毎の入力色値（例えば、RGB、CMYK値）を含む）を、基準画像入力装置ＳＣ１から取得し、色変換ＬＵＴ作成装置１００に送信する。
【００２２】
較正対象画像入力装置ＳＣ２には、上記サンプル画像を入力することができ、かつ、上記標準的なカラーチャートを入力することができない。較正対象画像入力装置ＳＣ２としては、例えば、ノーリツ鋼機製フィルムスキャナHS-1800を採用することができる。
【００２３】
第２制御用パソコンＰＣ２は、較正対象画像入力装置ＳＣ２を制御する機能を有する。また、第２制御用パソコンＰＣ２は、較正対象画像入力装置ＳＣ２がサンプル画像を入力された際に得た画像データ（画素毎の入力色値（例えば、デバイス依存のRGB値、デバイス依存のCMYK値）を含む）を、較正対象画像入力装置ＳＣ２から取得し、色変換ＬＵＴ作成装置１００に送信する。
【００２４】
分光測色器ＣＭは、色変換ＬＵＴ作成装置１００と接続されている。分光測色器ＣＭは、カラーチャートの各カラーパッチを測色して得た測色値（例えば、デバイス依存のRGB値、デバイス依存のCMYK値）を、色変換ＬＵＴ作成装置１００に送信する。
【００２５】
色変換ＬＵＴ作成装置１００は、第１制御用パソコンＰＣ１から、基準画像入力装置ＳＣ１がカラーチャート及びサンプル画像を入力された際に得た画像データと、分光測色器ＣＭがカラーチャートの各カラーパッチを測色して得た測色値を取得する。そして、色変換ＬＵＴ作成装置１００は、ルックアップテーブル作成ソフトウェアを用いて、カラーチャートの画像データと測色値に基づき、従来公知の手法により第１色変換ルックアップテーブル（「第１色変換ＬＵＴ」という）を作成する。
【００２６】
また、色変換ＬＵＴ作成装置１００は、第２制御用パソコンＰＣ２から、較正対象画像入力装置ＳＣ２がサンプル画像を入力された際に得た画像データを取得する。そして、色変換ＬＵＴ作成装置１００は、第１制御用パソコンＰＣ１から取得したサンプル画像の画像データを先に作成した第１色変換ＬＵＴにより変換した画像データと、第２制御用パソコンＰＣ１から取得したサンプル画像の画像データを対比して、対応する画素毎の入力色値の対応関係を記録する。なお、サンプル画像は複数枚であってもよい。次いで、色変換ＬＵＴ作成装置１００は、先に記録した対応関係に基づいて、較正対象画像入力装置ＳＣ２に画像を入力して得られる入力色値を、出力色値に変換する際に用いる第２色変換ルックアップテーブル（「第２色変換ＬＵＴ」という）を、ルックアップテーブル作成ソフトウェアを用いて作成する。
【００２７】
以上説明したように、本実施形態では、標準的なカラーチャートを入力することができない較正対象画像入力装置ＳＣ２について第２色変換ルックアップテーブルを作成することにより、高い色再現精度の実現する色較正を行うことができる。
【００２８】
次に、図２を用いて、色変換ＬＵＴ作成装置１００について説明する。図２に示すように、色変換ＬＵＴ作成装置１００は、大別して、制御部１１１、記憶部１１２、インターフェース部１１３、表示部１１４及び操作部１１５を含んで構成されている。
【００２９】
記憶部１１２は、例えばハードディスクドライブ等により構成されており、ＯＳ（Operating System）、ルックアップテーブル作成ソフトウェア（「ルックアップテーブル作成プログラム」の一例）等のプログラム及び各種データを記憶する。プログラムは、複数の命令コードにより構成されるソフトウェアモジュールである。命令コードはＣＰＵ（Central Processing Unit）により実行される。
【００３０】
記憶部１１２は、第１制御用パソコンＰＣ１から取得した基準画像入力装置ＳＣ１がカラーチャート及びサンプル画像を入力された際に得た画像データと、分光測色器ＣＭがカラーチャートの各カラーパッチを測色して得た測色値を記憶するとともに、第１色変換ＬＵＴを記憶する。また、記憶部１１２は、第２制御用パソコンＰＣ２から取得した較正対象画像入力装置ＳＣ２がサンプル画像を入力された際に得た画像データを記憶するとともに、第２色変換ＬＵＴを記憶する。
【００３１】
インターフェース部１１３は、分光測色器ＣＭ、第１制御用パソコンＰＣ１及び第２制御用パソコンＰＣ２とのデータの入出力を司る。
【００３２】
表示部１１４は、例えば、液晶ディスプレイ等により構成されており、文字や画像等の情報を表示するようになっている。
【００３３】
操作部１１５は、例えば、キーボード、マウス等により構成されており、オペレータからの操作指示を受け付け、その指示内容を指示信号として制御部１１１に出力するようになっている。
【００３４】
制御部１１１は、ＣＰＵ（Central Processing Unit）、ＲＯＭ（Read Only Memory）、ＲＡＭ（Random Access Memory）等により構成されている。そして、ＣＰＵが、ＲＯＭや記憶部１１２に記憶された各種プログラムを読み出し実行することにより各種機能を実現する。
【００３５】
すなわち、制御部１１１は、本発明における取得手段、作成手段として機能する。具体的には、ＣＰＵは、基準画像入力装置ＳＣ１（「第１画像入力装置」の一例）にカラーチャートを入力して得られた入力色値と当該カラーチャートの測色値とに基づいて作成され、基準画像入力装置ＳＣ１への入力色値に対応する出力色値を規定した第１色変換ルックアップテーブルを用いて、基準画像入力装置ＳＣ１にサンプル画像を入力して得られたサンプル画像データを補正した補正済サンプル画像データを取得し、また、当該取得した画像データと較正対象画像入力装置ＳＣ２（「第２画像入力装置」の一例）にサンプル画像を入力して得られたサンプル画像データの対応する画素における色値の対応関係に基づいて、較正対象画像入力装置ＳＣ２への入力色値に対応する出力色値を規定した第２色変換ルックアップテーブルを作成する。
【００３６】
次に、図３のフローチャートを用いて、色変換ＬＵＴ作成装置１００の制御部１１１による較正対象画像入力装置用の色変換ルックアップテーブル（第１色変換ＬＵＴ）作成処理について説明する。なお、当該フローチャートにおけるステップＳ１が開始するまでに、次の（１）及び（２）が完了しているものとする。
（１）分光測色器ＣＭによるカラーチャートの各カラーパッチの測色と、当該各カラーパッチの測色値の記憶部１１２への記録。但し、測色値が既知のカラーチャートを使用する場合には、分光測色器ＣＭによらず当該測色値を記憶部１１２へ記録することとしてもよい。
（２）基準画像入力装置ＳＣ１によるカラーチャートの画像データ作成と、当該画像データの記憶部１１２への記録。
【００３７】
まず、色変換ＬＵＴ作成装置１００の制御部１１１は、カラーチャートの各カラーパッチの測色値を記憶部１１２から取得する（ステップＳ１）。すなわち、制御部１１１は、分光測色器ＣＭがカラーチャートの各カラーパッチを測色して得た測色値を取得する。
【００３８】
次に、制御部１１１は、基準画像入力装置ＳＣ１により作成されたカラーチャートの画像データを記憶部１１２から取得する（ステップＳ２）。すなわち、制御部１１１は、基準画像入力装置ＳＣ１がカラーチャートを読み込んで作成した画像データを取得する。
【００３９】
次に、制御部１１１は、ステップＳ１の処理で取得した測色値と、ステップＳ２の処理で取得した画像データに基づいて第１色変換ＬＵＴを作成する（ステップＳ３）。例えば、制御部１１１はＩＣＣ（International Color Consortium）により規定されるデバイスプロファイルなどが色変換ルックアップテーブルとして用いられ、基準画像入力装置ＳＣ１で取得したRGB値やCMYK値などの色情報がCIE Lab表色系のL*a*b*値へ変換されることにより色較正が実施される。基準画像入力装置ＳＣ１については、色較正が実施された状態で以後の工程を行う。すなわち、第１色変換ＬＵＴを作成することは、基準画像入力装置ＳＣ１の色較正を実施したことと同義である。
【００４０】
なお、制御部１１１は、第１色変換ＬＵＴの作成後、基準画像入力装置ＳＣ１にカラーチャートを入力して得られた画像データに第１色変換ＬＵＴを適用して得られた画像データを取得し、ステップＳ１の処理で取得したカラーチャートの各カラーパッチの測色値と比較し、第１色変換ＬＵＴの色再現精度が充分であるか否かを判定し、不充分である場合には、その原因の検証結果に基づいて第１色変換ＬＵＴを再作成することとしてもよい。
【００４１】
次に、図４のフローチャートを用いて、色変換ＬＵＴ作成装置１００の制御部１１１による較正対象画像入力装置用の色変換ルックアップテーブル（第２色変換ＬＵＴ）作成処理について説明する。なお、当該フローチャートにおけるステップＳ１が開始するまでに、次の（３）及び（４）が完了しているものとする。
（３）基準画像入力装置ＳＣ１によるサンプル画像の画像データ作成（第１色変換ＬＵＴを適用して得られる画像データの作成）と、当該画像データの記憶部１１２への記録。
（４）較正対象画像入力装置ＳＣ２によるサンプル画像の画像データ作成と、当該画像データの記憶部１１２への記録。
【００４２】
まず、制御部１１１は、基準画像入力装置ＳＣ１により作成されたサンプル画像の画像データを記憶部１１２から取得する（ステップＳ１１）。すなわち、制御部１１１は、基準画像入力装置ＳＣ１がサンプル画像を読み込んで作成した画像データに第１色変換ＬＵＴを適用して得られた画像データ（「補正済サンプル画像データ」の一例）を取得する。
【００４３】
次に、制御部１１１は、較正対象画像入力装置ＳＣ２により作成されたサンプル画像の画像データを記憶部１１２から取得する（ステップＳ１２）。すなわち、制御部１１１は、較正対象画像入力装置ＳＣ２がサンプル画像を読み込んで作成した画像データを取得する。
【００４４】
次に、制御部１１１は、ステップＳ１１の処理で取得した画像データ（「補正済サンプル画像データ」の一例）と、ステップＳ１２の処理で取得した画像データについて、位置合わせ・ぼかし処理を行う（ステップＳ１３）。ぼかし処理は、位置合わせが充分でない場合（例えば、０．５ピクセルずれている場合）に、ズレが生じている両画像の画素についてぼかし処理（対象画素の近傍８点の入力色値の平均をとる）を行う。
【００４５】
次に、制御部１１１は、ステップＳ１３の処理を施した両画像について対応する画素毎の入力色値（RGB値やCMYK値）の対応関係を記録する（ステップＳ１４）。
【００４６】
次に、制御部１１１は、ステップＳ１４の処理で記録した入力色値の対応関係に基づいて、第２色変換ＬＵＴを作成し、（ステップＳ１５）。当該フローチャートに示す処理を終了する。第２色変換ＬＵＴを作成することにより、較正対象画像入力装置ＳＣ２の入力色値が第２色変換ＬＵＴにより適切な色値に補正することができる。すなわち、第２色変換ＬＵＴを作成することは、較正対象画像入力装置ＳＣ２の色較正を実施したことと同義である。なお、第２色変換ＬＵＴは、例えば、ＩＣＣにより規定されるデバイスリンクプロファイルであり、RGB値からRGB値への変換やCMYK値からCMYK値への変換が行われるように作成される。
【００４７】
以上説明したように、本実施形態の色変換ＬＵＴ作成装置１００の制御部１１１は、基準画像入力装置ＳＣ１（「第１画像入力装置」の一例）にカラーチャートを入力して得られた入力色値と当該カラーチャートの測色値とに基づいて作成され、基準画像入力装置ＳＣ１への入力色値に対応する出力色値を規定した第１色変換ＬＵＴを用いて、基準画像入力装置ＳＣ１にサンプル画像を入力して得られたサンプル画像データを補正した画像データ（「補正済サンプル画像データ」の一例）を取得し、当該取得した画像データと較正対象画像入力装置ＳＣ２にサンプル画像を入力して得られたサンプル画像データの対応する画素における色値の対応関係に基づいて、較正対象画像入力装置ＳＣ２への入力色値に対応する出力色値を規定した第２色変換ＬＵＴを作成する。
【００４８】
したがって、本実施形態の色変換ＬＵＴ作成装置１００によれば、標準的なカラーチャートを入力することができない較正対象画像入力装置ＳＣ２について高い色再現精度の実現する色較正を行うことができる。
【００４９】
また、例えば、画像変換装置（例えば、第１制御用パソコン）が、色変換ＬＵＴ作成装置１００が作成した第２色変換ＬＵＴを記憶又は取得した後に使用して、較正対象画像入力装置ＳＣ２に画像を入力して得られた画像データを変換することができる。この場合、画像変換装置は、較正対象画像入力装置ＳＣ２に画像を入力して得られた高い色再現精度を持つ画像データを取得することができる。
【００５０】
なお、上記実施形態では、ステップＳ１５の処理で第２色変換ＬＵＴを作成した後の、第２色変換ＬＵＴによる較正対象画像入力装置ＳＣ２の色再現精度等の検証及びこれに伴う第２色変換ＬＵＴの再作成について説明しなかったが、これらを行うことで、較正対象画像入力装置ＳＣ２の色再現精度を更に向上させることができる。
【００５１】
具体的には、制御部１１１は、上述したルックアップテーブル作成ソフトウェアを用いて、較正対象画像入力装置ＳＣ２の画素値（入力色値）を較正済みの基準画像入力装置ＳＣ１の画素値（測色値）に変換するための第２色変換ＬＵＴに規定する入力色値と出力色値を、補正関数を用いて決定する。その際には、適切な多数の基底関数を用いた補正関数を定義した上で、評価関数が最小となるように計算し、第２色変換ＬＵＴに規定する値を決定する。
【００５２】
下記式（１）は補正関数の一例である。制御部１１１は、補正関数に基づいて、入力色値xと出力色値yの組合せを複数組決定して、ルックアップテーブルを作成する。
【数２】
0006610163.tif 000003
φ1,…,φnとして多項式や正規分布、スプライン規定などを用いることができる。
このとき、下記式（２）に示す評価関数が最小となるように計算して、補正関数のa11,…aknを決定する。
【数３】
0006610163.tif 000004
評価関数の第1項は変換誤差の大きさを評価するための項であり、xiとyiはi番目の組合せの入力色値と出力色値である。第2項は変換関数の滑らかさを評価するための項である。第2項は補正関数が滑らかであるときに値が小さくなるように設計すればよく、行列Dとして単位行列や多次元の階差行列などを使用することができる。第3項は、補正関数の恒等変換との差の大きさを評価する項であり、xjは網羅的に選んだ入力色値である。第2項の係数kおよび第3項の係数lを正則化パラメータという。このとき、図４に示すフローチャートにしたがって、正則化パラメータk,lを増減させることにより、第２色変換ＬＵＴを用いた画像補正の色再現精度と階調精度の双方を満たすように第２色変換ＬＵＴの調整を行う。なお、正則化パラメータk,lの値を大きくすると、得られる変換関数が滑らかでかつ、恒等変換に近づくように設計されていることから、階調精度が向上するとともに色再現精度が低下する一方、正則化パラメータk,lの値を小さくすると、階調精度が低下するとともに色再現精度が向上する。
【００５３】
図５のフローチャートを用いて、色変換ＬＵＴ作成装置１００の制御部１１１による色変換ルックアップテーブル（第２色変換ＬＵＴ）調整処理について説明する。
【００５４】
まず、制御部１１１は、較正対象画像入力装置ＳＣ２にサンプル画像を入力して得られた画像データに第２色変換ＬＵＴを適用して得られた補正済画像データを取得する（ステップＳ２１）。
【００５５】
次に、制御部１１１は、ステップＳ２１の処理で取得した補正済画像データの色再現精度が充分であるか否かを判定する（ステップＳ２２）。具体的には、制御部１１１は、図４のステップＳ１１と同様に、基準画像入力装置ＳＣ１がサンプル画像を読み込んで作成した画像データに第１色変換ＬＵＴを適用して得られた画像データを取得し、当該画像データと補正済画像データとの比較に基づいて判定する。この処理は、例えば、制御部１１１が画像比較プログラム（例えば、両画像データを比較して差分が所定の閾値以下であれば色再現精度が充分であるとするプログラム）に基づいて行うこととしてもよいし、同一のディスプレイやプリンタによって出力した画像データを、人間（例えば、オペレータ）が見比べて色再現精度が充分であるか判定し、操作部１１５より入力された判定結果に基づいて判定することとしてもよい。
【００５６】
制御部１１１は、色再現精度が充分でないと判定した場合には（ステップＳ２２：ＮＯ）、正則化パラメータｋ,lの値を減少させて（直前に第２色変換ＬＵＴを作成した際のパラメータｋ,lよりも減少させて）、第２色変換ＬＵＴを再作成し（ステップＳ２３）、ステップＳ２１の処理に移行する。
【００５７】
一方、制御部１１１は、色再現精度が充分であると判定した場合には（ステップＳ２２：ＹＥＳ）、次いで、ステップＳ２１の処理で取得した補正済画像データの階調精度が充分であるか否かを判定する（ステップＳ２４）。具体的には、制御部１１１は、補正済画像データにおいてトーンジャンプが発生していないか（発生していても許容範囲内か）否かに基づいて判定する。この処理は、例えば、制御部１１１が階調確認プログラム（例えば、補正済画像データの画素値に基づいてトーンジャンプが発生していないか（発生していても許容範囲内か）を判定するプログラム）に基づいて行うこととしてもよいし、ディスプレイやプリンタによって出力した補正済画像データを、人間（例えば、オペレータ）が見て階調精度が充分であるか判定し、操作部１１５より入力された判定結果に基づいて判定することとしてもよい。
【００５８】
制御部１１１は、階調精度が充分でないと判定した場合には（ステップＳ２４：ＮＯ）、正則化パラメータｋ,lの値を増加させて（直前に第２色変換ＬＵＴを作成した際のパラメータｋ,lよりも増加させて）、第２色変換ＬＵＴを再作成し（ステップＳ２５）、ステップＳ２１の処理に移行する。一方、制御部１１１は、階調精度が充分であると判定した場合には（ステップＳ２４：ＹＥＳ）、当該フローチャートに示す処理を終了する。
【００５９】
以上説明したように、色変換ルックアップテーブル（第２色変換ＬＵＴ）調整処理を行うことにより、サンプル画像に含まれる色に偏りや欠落がある場合であっても、サンプル画像に含まれている色に対して色再現精度が充分な正しい色較正を行うことができる。また、サンプル画像に含まれていない色については階調精度が充分な自然な色再現となるように較正されるため、サンプル画像の配色に制約を課すことなく、色較正を行うことができる。
【符号の説明】
【００６０】
Ｓ  色変換ＬＵＴ作成システム
１００  色変換ＬＵＴ作成装置
１１１  制御部
１１２  記憶部
１１３  インターフェース部
１１４  表示部
１１５  操作部
ＳＣ１  基準画像入力装置
ＰＣ１  第１制御用パソコン
ＳＣ２  較正対象画像入力装置
ＰＣ２  第２制御用パソコン
ＣＭ  分光測色器
【図１】
0006610163.tif 000006
【図２】
0006610163.tif 000007
【図３】
0006610163.tif 000008
【図４】
0006610163.tif 000009
【図５】
0006610163.tif 000010